【事件の表示】
　平成　７年特許願第２４０９１６号「地熱利用放熱管配列構造」拒絶査定に対する審判事件［平成　９年　３月　４日出願公開、特開平　９−　６０９８２］について、次のとおり審決する。
【結　論】
　本件審判の請求は、成り立たない。
【理　由】
１．手続の経緯・本願発明
　本願は、平成７年８月２５日の出願であって、その請求項１に係る発明は、平成１１年８月２７日付の手続補正書により補正された明細書の特許請求の範囲の請求項１に記載された次のとおりのものと認める。
「【請求項１】地中に鉛直に埋設した熱交換用同心二重管（１）により間接的に加熱された熱媒（Ｍ）の保有熱を放熱させる地熱利用放熱管配列構造において、放熱管（９ｂ）を平面上にヘアピン状に蛇行させると共に、放熱管（９ｂ）の全長の半分に当る送り側部分（９ｄ）と残りの戻り側部分（９ｅ）とを全長にわたって隣接させて平行に並べ、かつ前記各部分（９ｄ、９ｅ）間の間隔を略等しく設定してなる地熱利用放熱管配列構造。」
２．引用例に記載された事項
　これに対して、原査定の拒絶の理由に引用された本願の出願前に頒布された刊行物である特開昭５３−１４３０４４号公報（以下、「引用例１」という。）及び特開平６−２９９７１３号公報（以下、「引用例２」という。）には、それぞれ次の事項がが記載されている。
（１）引用例１
　引用例１には、地熱利用の熱交換器に関し、図面とともに、
「本発明は、地熱を利用した熱交換装置に関するもので、地下略５メートルにおける外気年間平均温度を有する地下恒温層の熱を利用した熱交換装置に係るものである。」（第１頁右下欄６〜９行）こと、
「以下図面に示した実施例に基いて、本発明の要旨を説明する。
　図において、（１）は地中（２）の恒温層に達する深さ（略５乃至６メートル）で且直径約１０乃至２０センチ程度の集熱穴で、間隔を置いて多数個設けてあり、必要に応じて穴の側壁材として金属製の中空パイプを埋設してもよい。上記集熱穴（１）中には短い送気管（３）と、穴（１）の底部に達する程度に長い吸気管（４）をそれぞれ挿入配置してある。この両管（３）及び（４）は、直径２乃至５センチ程度の小径管を図示の如く並設する他に、一方の太い管体中に他方の小径管体を挿入する二重構造に構成してもよく、又、送気管（３）と吸気管（４）との挿入長を図示状態と逆に構成するも支障はない。
　送気管（３）及び吸気管（４）には、集熱穴挿入部の管壁には、特に、長い方の吸気管（４）にあっては送気管（３）よりも深い挿入部に溝穴状の流通孔（５）（５）を多数開穿してある。この両管（３）（４）及び該管と集熱穴（１）との間に砂利等の通気性を有する熱導体（６）を充填してある。各送気管（３）及び吸気管（４）は、それぞれ表面を断熱材（７）で加工した導管（８）に並列的に接続してあり、家屋暖冷房用に配設した床下熱交換機構（９）に環流ポンプ（１０）の介在下に接続して、空気等の気体を熱交換媒体とする循環路を構成してある。」（第２頁左下欄１行〜同頁右下欄６行）こと、
「以上の構成からなる本発明装置によれば、熱交換媒体を環流ポンプ（１０）によって強制環流駆動せしめることにより、送気管（３）から集熱穴（１）内に送り込まれた媒体は、熱導体（６）の間隙を通り抜ける間に、当該部の地中温度に熱交換されて吸引管（４）に吸引され、導管（８）を経由して床下熱交換機構（９）に送り込まれる。そして、該機構（９）によって外気温に応じ、又は強制熱交換気によって、媒体からの熱の伝導が行われる。媒体が水である場合には、これを直接家事用水等に使用支得る。」（第２頁右下欄１３行〜第３頁３行）こと、
「第２，３図に示すものは、家屋の床下の配管を示すもので、・・（中略）・・・第１図に示す熱交換機構（９）は蛇行形のパイプ（１３）と砂利（１４）とからなり、熱交換を可及的に良好ならしめてある。」（第３頁４〜８行）こと、
が記載されている。
　また、引用例１に記載された送気管（３）及び吸気管（４）は、第１図からみて、地中に鉛直に埋設されていること、蛇行形のパイプ（１３）は、第３図から、平面上に蛇行されていることが窺える。
　したがって、引用例１には、「地中（２）に設けられた集熱穴（１）に鉛直に埋設した送気管（３）及び吸気管（４）により間接的に加熱された水等の熱交換媒体からの熱の伝導が行われる床下熱交換器機構において、床下熱交換器機構のパイプ（１３）を平面上に蛇行させて配列した地熱利用の床下熱交換器機構。」に係る発明が記載されているといえる。
（２）引用例２
　引用例２には、地熱等を省エネルギー等に活用した家屋に関し、図面とともに
「床下空間暖房部８は冬期において床下空間３内を加温すると共に、地面からの湿気の侵入を遮断するものである。この床下空間暖房部８は例えば図３に抽出して示すように土間断熱層９、コンクリート層１０、熱媒体用パイプ１３から構成されたものである。」（第３頁３欄４〜８行）こと、
「コンクリート層１０は、蓄熱材、熱媒体用パイプ１３からの熱の分散、放熱材として機能すると共に熱媒体用パイプ１３を埋設することにより、熱媒体用パイプ１３内に万一水が貯留し、これが凍った際に熱媒体用パイプ１３が破壊するのを防止するのにも役立つものである。熱媒体用パイプ１３は、例えば図４、図５に示すように配管するものであり、熱源１５から補強ベースコンクリート層１１上の出入口までは、断熱材１６で被覆することが好ましいものである。」（第３頁３欄２８〜３６行）こと、
が記載されている。
　また、引用例２には、その図５からみて、熱媒体用パイプ１３は、平面上にヘアピン状に蛇行されると共に、該パイプ１３の全長の半分に当たる送り側部分と残りの戻り側部分とを全長にわたって隣接させて平行に並べ、かつ放熱管の送り側部分と戻り側部分との間の間隔を略等しく設定してあることが窺える。
３．対比
   本願の請求項１に係る発明（以下、「本願発明」という。）と引用例１に記載された発明とを対比すると、引用例１に記載された「水等の熱交換媒体」、「蛇行形のパイプ（１３）」は、本願発明の「熱媒」、「地熱利用放熱管」に相当し、また、引用例１に記載された「集熱穴（１）」と「送気管（３）」と「吸気管（４）」は、熱交換用管を構成しているということができ、さらに、引用例１に記載された「間接的に加熱された水等の熱交換媒体からの熱の伝導が行われる床下熱交換器機構」は、間接的に加熱された熱媒の保有熱を放熱させる地熱利用放熱管配列構造を構成しているといえるから、両者は、
「地中に鉛直に埋設した熱交換用管により間接的に加熱された熱媒の保有熱を放熱される地熱利用放熱管配列構造において、放熱管を平面上に蛇行させた地熱利用放熱管配列構造」
の点で一致し、次の点で相違する。
イ．本願発明は、熱交換用管が同心二重管であるのに対し、引用例１に記載された発明は、そのようになっていない点。
ロ．本願発明は、放熱管の全長の半分に当る送り側部分と残りの戻り側部分とを全長にわたって隣接させて平行に並べ、かつ各部分間の間隔を略等しく設定した放熱管の配列構造であるのに対し、引用例１に記載された発明は、そのようになっていない点。
４．判断
　上記相違点について検討する。
（１）相違点イについて
　地中に鉛直に埋設した熱交換用管により間接的に加熱された熱媒の保有熱を利用するものにおいて、熱交換用管として同心二重管を用いることは、従来周知（例えば、実願昭５９−１５５５号（実開昭６０−１１３４６０号）のマイクロフィルム、特開昭５８−１０６３６５号公報等参照。）のことであり、引用例１に記載された発明の地中に埋設される熱交換用管として、上記周知のものを採用することは、当業者であれば適宜なし得る程度のことにすぎない。
（２）相違点ロについて
　上記引用例２に記載された「熱媒体用パイプ１３」は、放熱管を構成しているから、引用例２には、放熱管を平面状にヘアピン状に蛇行させると共に、放熱管の全長の半分に当たる送り側部分と残りの戻り側部分とを全長にわたって隣接させて平行に並べ、かつ放熱管の送り側部分と戻り側部分との間の間隔を略等しく設定した放熱管の配列構造が示されているといえる。
　また、暖房装置等の放熱パネルにおいて、放熱管をヘアピン状に蛇行させると共に、放熱管の送り側部分と残りの戻り側部分とを全長にわたって隣接させて平行に並べ、かつ各部分間の間隔を略等しく設定し、放熱量を全体的に均一化するようにすることは、従来周知（例えば、特開平４ー３６９３３１号公報（特に図１、図２参照。）、特開昭６０−１６４１３９号公報（特に、第５図参照。）等参照。）のことである。
　したがって、引用例１に記載された放熱管の配列構造に換えて引用例２に記載された放熱管を平面状にヘアピン状に蛇行させると共に、放熱管の全長の半分に当たる送り側部分と残りの戻り側部分とを全長にわたって隣接させて平行に並べ、かつ放熱管の送り側部分と戻り側部分との間の間隔を略等しく設定した放熱管の配列構造を採用し、その際、上記周知のように放熱量の均一化を図るため各部分間の間隔を略等しく設定するようにして、上記相違点ロであげた本願発明のようにすることは、当業者であれば容易に想到し得ることである。
  なお、本願発明の効果は、上記引用例１及び引用例２に記載された事項並びに上記周知技術から予測し得る程度のものであって、格別なものではない。
５．むすび
　以上のとおりであるから、本願発明は、上記周知の技術を参酌すれば、引用例１及び引用例２に記載された発明に基づいて、当業者が容易に発明をすることができたもであるから、特許法第２９条第２項の規定により特許を受けることができない。
  よって、結論のとおり審決する。